(57)【要約】【課題】  パフを用いたイオン導入を適切に行え得る美容機器及びこの美容機器に取り付ける保持部材を提供する。【解決手段】  少なくとも前記手持部からなる本体と前記電極部１とが離隔し、連結部２ａを介して本体と電極部１とが結合し、前記電極部１及び連結部２ａにおける電極部接触面の中心軸垂直面の断面積が中心軸に沿って連続的に減少する部分を受け部として形成しているので、受け部がパフ等の介在物を保持し易い形状となって使用中であっても介在物が容易に外れることもなく、また、受け部が介在物を容易に取り付け易い形状となっており、使用者の利便性を向上させている。【選択図】  図１
2005296193.tif 000002
【特許請求の範囲】
【請求項１】
使用者が使用時に握る手持部と、電流を出力する電極部と、当該電極部に各種電流を供給する電源部とを備え、前記電極部により美容を行う美容機器において、
少なくとも前記手持部からなる本体と前記電極部とが離隔し、連結部を介して本体と電極部とが結合し、
前記電極部及び連結部における電極部接触面の中心軸垂直面の断面積が中心軸に電極部接触面裏側方向に沿って減少する部分を受け部として形成していることを
特徴とする美容機器。
【請求項２】
前記請求項１に記載の美容機器の電極部にパフ等の介在物を保持する保持部材において、
前記美容機器の受け部に対応した嵌合可能な楕円状リングであって少なくともリングの孔部の長軸内側方向に対する外力に対して復元性を有することを
特徴とする保持部材。
【請求項３】
前記請求項２に記載の保持部材において、
前記リングの孔部の一方の開口の径が他方の開口の径より小さくするつば部を設けたことを
特徴とする保持部材。
【請求項４】
前記請求項２に記載の保持部材において、
前記リングの孔部長軸端点部分のリング厚が他の部分のリング厚より小さいことを
特徴とする保持部材。
【請求項５】
前記請求項３に記載の保持部材において、
前記リングの孔部長軸端点部分につば部を設けないことを
特徴とする保持部材。
【請求項６】
前記請求項２に記載の保持部材において、
リングの中心軸心を中心とし、かつ、当該中心軸心に対して短軸が直交する楕円であって、前記中心軸心における中心位置の変化とともにその短軸が連続的に増加して減少する楕円の外周を連ねて形成される面を内面とすることを
特徴とする保持部材。
【請求項７】
前記請求項２に記載の保持部材において、
リングの中心軸心を中心とし、かつ、当該中心軸心に対して短軸が直交する楕円であって、前記中心軸心における中心位置の変化とともにその短軸が連続的に増加して減少する楕円の外周を連ねて形成される面を内面とし、
前記内面を形成する楕円のうち孔部の開口を形成する一方の楕円の短軸が他方の楕円の短軸よりも小さいことを
特徴とする保持部材。
【発明の詳細な説明】
【技術分野】
【０００１】
本発明は、美容機器の電極部分の構造とその保持部材に関し、特に、嵌合状態の良好な構造及び保持部材に関する。
【背景技術】
【０００２】
背景技術となる美容機器の一つであるイオン導入器としては、特開２０００−２１０３８５号公報に開示されるものがある。この背景技術となる第１のイオン導入器は、図１１に示すように本体１０１の上端前方には使用者の顔面皮膚に接触し、ガルバニックイオン電流を出力する顔面皮膚接触部１０２が設けられており、この顔面皮膚接触部１０２の周縁部の内側に複数の遠赤外線ダイオードＵＤ1、ＵＤ２、ＵＤ３が設けられ、振動発生部及び遠赤外線を出力する遠赤外線出力部１０４を備え、本体１０１の左右両側には、使用者が本体を握ったとき、皮膚と接触される接地部１０６が設けられている構成である。この背景技術となる第１のイオン導入器によれば、直流／直流変換部を用いて、バッテリの電源を昇圧させ、この昇圧した電源でガルバニックイオン電流を出力し、さらに、振動発生部及び遠赤外線出力部を備え、振動及び遠赤外線を発生し、使用者は簡便に携帯しながらガルバニックイオン電流、遠赤外線及び振動を用いて、皮膚美容を遂行するのは勿論、皮膚美容段階で出力するガルバニックイオン電流を周期的に可変させることにより、皮膚刺激の効果が高く、これにより、常に弾力性を有し、かつ色つやの良い皮膚を維持することができる。また、この背景技術となるイオン導入器には、図１２に示すように、クレンジング（図１２（ａ））、マッサージ（図１２（ｂ））、栄養供給（図１２（ｃ））、リフティング（図１２（ｄ））の各種パルス波形モードが用意されており、適宜各種パルス波形モードの動作が行われる。
【特許文献１】特開２０００−２１０３８５号公報
【発明の開示】
【発明が解決しようとする課題】
【０００３】
前記背景技術となるイオン導入器によれば、皮膚刺激の効果が高くて弾力性を有し、かつ色つやの良い皮膚を維持することが実現できるものであると推測される。しかしながら、背景技術となるイオン導入器によっても、顔面皮膚接触部１０２（電極部）が本体の外形と緩やかに連続して突出することなく本体の一部となっているため、化粧水を含ませてたパフを電極部に取り付けることが非常に困難であり、また、取り付けたとしても直ぐに外れやすいという課題を有する。ここで、電極部に取り付けるのではなく使用者の顔自体に顔の形状に型取った顔用パフも存在するが、この場合にはかかる課題は生じないものの、顔に継続してパフを取り付けた状態を維持してマッサージを行わなければならず利便性に乏しい。
【０００４】
そこで、本発明は前記課題を解決するためになされたものであり、パフを用いたイオン導入を適切に行え得る美容機器及びこの美容機器に取り付ける保持部材を提供することも目的とする。
【課題を解決するための手段】
【０００５】
本発明に係る美容機器は、使用者が使用時に握る手持部と、電流を出力する電極部と、当該電極部に各種電流を供給する電源部とを備え、前記電極部により美容を行う美容機器において、少なくとも前記手持部からなる本体と前記電極部とが離隔し、連結部を介して本体と電極部とが結合し、前記電極部及び連結部における電極部接触面の中心軸垂直面の断面積が中心軸に電極部接触面裏側方向に沿って減少する部分を受け部として形成しているものである。このように本発明においては、少なくとも前記手持部からなる本体と前記電極部とが離隔し、連結部を介して本体と電極部とが結合し、前記電極部及び連結部における電極部接触面の中心軸垂直面の断面積が中心軸に沿って連続的に減少する部分を受け部として形成しているので、受け部がパフ等の介在物を保持し易い形状となって使用中であっても介在物が容易に外れることもなく、また、受け部が介在物を容易に取り付け易い形状となっており、使用者の利便性を向上させている。
【０００６】
また、本発明に係る保持部材は、前記美容機器の受け部に対応した嵌合可能な楕円状リングであって少なくともリングの孔部の長軸内側方向に対する外力に対して復元性を有するものである。このように本発明においては、前記美容機器の受け部に対応した嵌合可能な楕円状リングであって少なくともリングの孔部の長軸内側方向に対する外力に対して復元性を有するので、長軸内側方向に外力をかけることで短軸外側方向に保持部材が変形し前記電極部に嵌め易く、また、復元性を有することで嵌めた後は電極部から容易に外れることがなく使用者の利便性を向上させている。ここで、パフ等の介在物とは、パルス出力中に電極部に保持して使用するものをいう。
【０００７】
また、本発明に係る保持部材は必要に応じて、前記リングの孔部の一方の開口の径が他方の開口の径より小さくするつば部を設けたものである。このように本発明においては、前記リングの孔部の一方の開口の径が他方の開口の径より小さくするつば部を設けているので、本保持部材が電極部を通過して連結部に落ち込むことを防止し、定位置に本保持部材を電極部に嵌め合わせることができでき、また、つば部を一方の面のみに形成していることにより、使用者が指により外力を加えて長軸内側方向に本保持部材を変形させた場合につば部を形成している開口部は剛性があり変形し難いのに対し、つば部を形成していない他方の開口部はそれと比較して剛性がないため、つば部を形成していない他方の開口部のみが拡開し、使用者が本保持部材を電極部に嵌め易くなる。
【０００８】
本発明に係る保持部材は必要に応じて、前記リングの孔部長軸端点部分のリング厚が他の部分のリング厚より小さいものである。このように本発明においては、前記リングの孔部長軸端点部分のリング厚が他の部分のリング厚より小さいので、リングの孔部長軸端点部分が他の部分と比べて剛性がなく変形され易く、リングの孔部長軸端点部分が変形され易いということは、孔部の長軸方向に変形し易く、使用者が本保持部材を電極部に嵌め合わせることが容易にできる。
【０００９】
また、本発明に係る保持部材は必要に応じて、前記リングの孔部長軸端点部分につば部を設けないものである。このように本発明においては、前記リングの孔部長軸端点部分につば部を設けないので、つば部が形成されていないことにより孔部長軸端点部分の剛性が他の部分と比べてなく変形され易く、使用者が本保持部材を電極部に嵌め合わせることが容易になる。
【００１０】
また、本発明に係る保持部材は必要に応じて、リングの中心軸心を中心とし、かつ、当該中心軸心に対して短軸が直交する楕円であって、前記中心軸心における中心位置の変化とともにその短軸が連続的に増加して減少する楕円の外周を連ねて形成される面を内面とするものである。このように本発明においては、リングの中心軸心を中心とし、かつ、当該中心軸心に対して短軸が直交する楕円であって、前記中心軸心における中心位置の変化とともにその短軸が連続的に増加して減少する楕円の外周を連ねて形成される面を内面とするので、前記イオン導入器の受け部に対応した内面を有するリングであり、また、増加して減少する楕円の外周を連ねて形成されることで鉤部を形成し、この鉤部と受け部とが適切に嵌合することができる。
【００１１】
また、本発明に係る保持部材は必要に応じて、リングの中心軸心を中心とし、かつ、当該中心軸心に対して短軸が直交する楕円であって、前記中心軸心における中心位置の変化とともにその短軸が連続的に増加して減少する楕円の外周を連ねて形成される面を内面とし、前記内面を形成する楕円のうち孔部の開口を形成する一方の楕円の短軸が他方の楕円の短軸よりも小さいものである。このように本発明においては、リングの中心軸心を中心とし、かつ、当該中心軸心に対して短軸が直交する楕円であって、前記中心軸心における中心位置の変化とともにその短軸が連続的に増加して減少する楕円の外周を連ねて形成される面を内面とし、前記内面を形成する楕円のうち孔部の開口を形成する一方の楕円の短軸が他方の楕円の短軸よりも小さいので、前記イオン導入器の受け部に対応した内面を有するリングであり、また、増加して減少する楕円の外周を連ねて形成され鉤部を形成し、さらに、内面を形成する楕円のうち孔部の開口を形成する一方の楕円の短軸が他方の楕円の短軸よりも小さく、一方の孔部の開口の径が他方の孔部の開口の径よりも小さくつば部が形成されており、本保持部材が電極部を通過して連結部に落ち込むことを防止し、定位置に本保持部材を電極部に嵌め合わせることができでき、また、使用者が指により外力を加えて長軸内側方向に本保持部材を変形させた場合につば部を形成している開口部は剛性があり変形し難いのに対し、つば部を形成していない他方の開口部はそれと比較して剛性がないため、つば部を形成していない他方の開口部のみが拡開し、使用者が本保持部材を電極部に嵌め易くなる。
【発明を実施するための最良の形態】
【００１２】
（本発明の第１の実施形態）
本発明の第１の実施形態に係る美容機器の1つであるイオン導入器について図１ないし図４に基づき説明する。図１は本実施形態に係るイオン導入器の平面図（図１（ａ））及び右側面図（図１（ｂ））、図２は本実施形態に係るイオン導入器の全体構成ブロック図、図３は本実施形態に係るパフリングの平面図（図３（ａ））、断面図（図３（ｂ））、底面図（図３（ｃ））及び右側面図（図３（ｄ））、図４は本実施形態に係るパフリングの使用状態図である。
【００１３】
前記図１において本実施形態に係るイオン導入器は、金属からなり患部に電流を出力するパフプレート部１と、このパフプレート部１にパルスを出力するパルス出力部１２と、このパルス出力部１２に各種電流を供給する電源部（図示しない）とを備え、イオン化溶液中に含まれるイオン化成分を前記パルス出力部１２からのパルスによって生体へ導入するものであって、前記パフプレート部１の平面形状がルーローの三角形となっている構成である。本イオン導入器は、大まかには前面を形成し、前記パフプレート部１が先端に配設された前面体２と、この前面体２の背面にあり、前記パルス出力部１２等の電気回路を内設する背面体３とからなる。この前面体２の中央部下側と背面体３とで使用者が使用時に握る手持部を構成している。そして、この手持部からなる本体と前記パフプレート部１とが離隔し、連結部２ａを介して本体と電極部であるパフプレート部１とが結合し、前記パフプレート部１及び連結部２ａにおける電極部接触面の中心軸垂直面の断面積が中心軸に電極部接触面裏側方向に沿って連続的に減少する部分を受け部として形成している構成が本発明の特徴となっている。図１（ｂ）においてはパフプレート部１の側面及び背面により受け部を構成している。一方、この受け部に対してパフを保持する保持部材であるパフリング７が前記受け部に対応した嵌合可能な楕円状リングであってリングの孔部７ａの長軸内側方向に対する外力に対して復元性を有するものである。すなわち、前記受け部に、パフリング７が鉤部となって嵌合する。
【００１４】
前記パフプレート部１は、導電性部材からなり、同じく導電性部材からなる対極電極部６と共に、人体を介して導通状態となる。実際の使用時には、パフプレート部１が患部に接触し、対極電極部６が本美容機器を持つ掌や手の指等と接触し、パフプレート部１（又は対極電極部６）から人体を介して対極電極部６（又はパフプレート部１）へ向かって電流が流れる。パフプレート部１には電流の供給を受けるべく、電極ライン１ａが本体１０の内部に内設されている。ただし、電源ライン１ａは１本であり、もう１本は人体を導体とみなすので不必要である。前記パフプレート部１の平面形状はルーローの三角形の形状をしているが、この形状によりパフプレート部１を当接させる患部の内他の部位と比べて凸部となっている鼻等のパフプレート部１が接触した場合に、どの側面でも同じ程度の大きさの接触面で当接することができ、偏りがないイオン導入を行うことができる。また、パフプレート部１のルーローの三角形自体の形状が、統一があって審美生が高い。
【００１５】
前記パフリング７は樹脂を成形したものである。樹脂の選定においては、成形後少なくとも復元性を有するものであることが必要であり、使用者の指の力で変形可能な軟性を有することが好ましい。復元性を要しなければパフリング７の孔部の長軸内側方向に使用者が力を加えて変形させ嵌め易くした状態でパフプレート部１に嵌め合わせた後に、変形したままの形状となってパフリング７がパフをパフプレート部１にしっかりと保持することができない。
【００１６】
また、パフリング７は、前記リングの孔部７ａの一方の開口の径７ｃが他方の開口の径７ｄより小さくするつば部７ｂを設けている。このつば部７ｂを設けることによりパフリング７がパフプレート部１を通過して連結部２ａに落ち込むことを防止し、定位置にパフリング７をパフプレート部１に嵌め合わせることができる。さらに、このようなつば部７ｂを一方の面のみに形成していることにより、使用者が指により外力を加えて長軸内側方向にパフリング７を変形させた場合につば部７ｂを形成している開口部は剛性があり変形し難いのに対し、つば部７ｂを形成していない他方の開口部はそれと比較して剛性がないため、つば部７ｂを形成していない他方の開口部のみが拡開し、使用者がパフリング７をパフプレート部１に嵌め易くなる。
【００１７】
また、前記リングの孔部長軸端点部分のリング厚が他の部分のリング厚より小さい。リング厚がリングの孔部長軸端点部分で他の部分と比べ小さければ、リングの孔部長軸端点部分が他の部分と比べて剛性がなく変形され易い。そして、リングの孔部長軸端点部分が変形され易いということは、孔部の長軸方向に変形し易く、使用者がパフリング７をパフプレートに嵌め合わせることが容易になることに繋がる。
【００１８】
また、前記リングの孔部長軸端点部分につば部を設けていない。これも孔部長軸端点部分のリング厚を小さくしたのと同様に、つば部が形成されていないことにより孔部長軸端点部分の剛性が他の部分と比べてなく変形され易く、使用者がパフリング７をパフプレート部１に嵌め合わせることが容易になることに繋がる。
【００１９】
前記前面体２は、表面中央に操作スイッチ４が配設されている。この操作スイッチ４は、電源スイッチボタン４ａ、モード切替スイッチ４ｂ及び強弱切替スイッチ４ｃからなる。電源スイッチボタン４ａは本イオン導入器の電源のオン／オフを受け、電源オフの状態で電源スイッチボタン４ａを押下することで本イオン導入器は起動し、一方、電源オンの状態で電源スイッチボタン４ａを押下することで本イオン導入器は終了する。モード切替スイッチ４ｂは、現在動作しているモードから他のモードに切り替えるためのスイッチである。モード切替スイッチ４ｂはどのモードであっても他のモードに移行することができる。モード切替スイッチ４ｂを押す毎に他のモードに移行するため、何度か押下すると一周して移行前のモードに戻ってくることになる。強弱スイッチ４ｃは、本スイッチの切り替えによりパルス出力部１２から出力されるパルスの出力電圧の強弱を選択したり、バイブレータ１３の強弱を選択するものである。この強弱スイッチ５ｃによるパルスの出力電圧の強弱の選択及びバイブレータ１３の強弱の選択を設けたのは（出力電圧が強でバイブレータ１３も強であるモードをHighモードとし、出力電圧が弱でバイブレータ１３も弱であるモードをLowとする）、使用者の選択の幅を広げ利便性を高めるためである。詳述すれば、電気信号に対して恐怖心や敏感な人はイオン導入器を使用したいにも拘らず電気信号を避けることにより本イオン導入器の使用を躊躇うことが考えられるが、Lowモードを用意することによりこのような使用者であっても安心して使用することができる。一方、電気信号に対して恐怖心どころかチクチクする痛みに対して効果を確認するような使用者にとっては、Lowモードのみの使用では効果はある程度あるにも拘らず満足いくものではなくHighモード用意することによりこのような使用者にも対応することができる。
【００２０】
これら電源スイッチボタン４ａ、モード切替スイッチ４ｂ及び強弱切替スイッチ４ｃの上面にはドーム状の共通スイッチが形成されている。この共通スイッチは、十字キーのごとくどの方向に押下することもできる。そして、この共通スイッチは下面に配設されている電源スイッチボタン４ａ、モード切替スイッチ４ｂ及び強弱切替スイッチ４ｃにそのまま押下状態を伝える。すなわち、共通スイッチが下方向にシフトして押下すると電源スイッチボタン４ａを押下することとなり、共通スイッチが右上方向にシフトして押下するとモード切替スイッチ４ｂを押下することとなり、共通スイッチが左上方向にシフトして押下すると強弱切替スイッチ４ｃを押下することとなる。
【００２１】
また、前面体２の操作スイッチ４の形状が平面方向から見ると円状となっているが、この円と同心円上に複数の発光ダイオード５を配設している。前記発光ダイオード５は、現在どのモードかを示すモード表示ランプ５ａ、パルスの出力とバイブレータの振動の強弱を示す強弱表示ランプ５ｂからなる。モード表示ランプ５ａはフルカラーLEDを用いる。そして、制御部９は使用者が発光ダイオード５の光の色により各モードを判別できるように、例えば、イオンクレンジング時には水色、マッサージ時には橙、イオン導入時には青色、リフティング時には白色に発光するように制御する。強弱表示ランプ５ｂは、それぞれLEDが用意され、強の場合には強用LEDが発光し、弱の場合には弱用LEDが発光している。
【００２２】
前記背面体３は、後端表面に対極電極部６が形成され、また、電流供給元となる電池が脱着可能となる電池収納部が内設され、さらに、当該内部の電池からの電流の供給を受け、かかる電流をパルスに換え、パフプレート部１（又は対極電極部６）にパルスを出力するように制御する制御部９を実装している回路基板が内部に配設されている構成である。背面体３は有色にて形成されており、これは、内部に配設される回路基板、電源部等を被覆するためである。したがって、外観者に対する美観を向上させるためにデザイン上特化させるために透明又は半透明にして内部の回路基板を故意に透過させる場合もある。ここでの電池は、充電型であり、充電容量がなくなった場合には、音により知らせる構成とすることができる。
【００２３】
前記制御部９は、図２に示すように、電源スイッチボタン４ａ、モード切替スイッチ４ｂ、強弱切替スイッチ４ｃからの入力を受け、発光ダイオード５、パルス出力部１２及び前記バイブレータ１３を制御する。この制御部９は実際には主にマイクロコンピュータにより実装され、その余の部分は回路からなる。前記発光ダイオード５は、制御部９から出力された制御信号（発光用制御信号）に従って発光する。前記パルス出力部１２は、制御部９から出力された制御信号（電極用制御信号）に従ってパフプレート部１及び対極電極部６にパルスからなる電流を出力する。前記バイブレータ１３は、制御部９から出力された制御信号（バイブレータ用制御信号）に従ってモータを回転させる。
【００２４】
前記パルス出力部１２が出力するパルスには用途毎にモードがあり、本実施形態においては、皮膚の深部に蓄積している毒素や老廃物を除去するイオンクレンジング、顔面皮膚の穴を拡張及び縮小させ色艶の良い弾力性のある皮膚に維持させるマッサージ、皮膚の深部に化粧水等の養分を浸透させるイオン導入、及び、皮膚の毛穴を拡縮させ張りのある皮膚を保持させるリフティングのモードがある。
【００２５】
また、制御部９は、パルス出力部１２から人体検知用の検出信号を適宜出力するようにしている。人体検知とは、パフプレート部１が人体と接触しているか否かを検知するものである。人体検知を使用する目的は、人体を検知してパルスを出力するようにし確実にイオン導入を使用者に行うことである。本イオン導入器においては、ソフトスタートを行うために特に有用であり、すなわち、人体に確実にパフプレート部１が接触している状態でソフトスタートをする意味があり、人体に電極部１が接触していない状態でソフトスタートしても意味がないということである。パルス出力部１２から各モードのパルスが出力されている場合には、検出信号は出力しなくてもよい。これは、各モードのパルスが適切に出力されている場合には、人体に電極部１が接触しているため、別途検出信号を出力する必要がないことによるものである。ここで、適切に電極部１が人体に接触していることを使用者に知らせるために、発光ダイオード５の発光を変化させる。具体的には、人体検知がなされるまでは、発光ダイオード５を点滅させ、人体検知がなされれば点灯に移行するようにする。
【００２６】
前記人体検知は、具体的には、パルス出力部１２から、所定周波数の検出信号が電極部１に出力されている。この検出信号は、人体と電極部１が接触している場合には人体を通って対極電極部６に入力される。人体を介してしているので、パフプレート部１で検出される検出信号と比べると、対極電極部６で検出される検出信号がノイズが入った微弱な信号となっている。このような信号により人体と実際に接触しているか否かを判別する場合に、単純に検出信号の１つでも検出されると人体が検知されると判別するのは早計であり、ノイズにより一時的に上昇した波高値である可能性もある。したがって、好ましくは、出力した検出信号に対応する対極電極６で検出された検出信号の平均をとって所定電圧レベル以上となっている場合にのみ動作モードに移行する構成とした方がよい。また、検出された検出信号の平均だけでなく、他にも、最初と最後のいくつかの検出信号を無視して残りの検出信号の平均を比較対象とすることもできる。最初と最後のいくつかの検出信号を無視したのは、一般に人体に対して電気信号を流した場合に、最初と最後の電気信号に対する検出信号が弱くなるという性質を考慮したものである。他には、前記性質を逆手にとって、電圧の変化率が高いポイントが２点あるか否かにより判別することもできる。この２点というのは、最初と最後の電気信号に対する検出信号が弱くなる部分のことを意味している。また、単に平均だけでなく、検出信号のうち所定の電圧レベルを超えた検出信号の数により判別してもよい。
【００２７】
パルスは前記パルス出力部１２から出力されるのであるが、パフプレート部１に対してパルスを出力するのか、対極電極部６に対してパルスを出力するのかは、前記モードにより異なる。パフプレート部１に対してパルスを出力する場合には、対極電極部６はGNDに電圧レベルを落としておく必要がある。一方、対極電極部６に対してパルスを出力する場合には、パフプレート部１はGNDに電圧レベルを落としておく必要がある。このようにパルスが出力されない側の電極をGNDに電圧レベルを落とすのは、出力されたパルスが人体を通って出力されない側の電極に通すためである。
【００２８】
次に、本実施形態に係るイオン導入器の動作について説明する。使用者は、イオン導入器の電源スイッチ５ａを押下してイオン導入器を起動させる。制御部９が起動し、全ての発光ダイオード５を所定時間点灯させる。この点灯は、待機モードから動作モードに移行したことを示す。動作モードに移行すると、制御部９はパルス出力部１２から検出信号を出力する。所定期間の間に検出信号の出力に対して信号の受信ができない場合には、待機モードに移行する。一方、所定期間内に検出信号の出力に対して信号の受信ができた場合には、制御部９によりイオンクレンジングのモードに移行する。イオンクレンジングのモードでは、制御部９がパルス出力部１２に早い周期のパルス出力をさせると共にバイブレータ１３に振動させて皮膚内部の汚れを排出させる。このイオンクレンジングのモードの動作と共に、制御部９がモード表示ランプ５ａを水色に点灯させる。イオンクレンジングのモードの終了後、一端休止する。これはイオンクレンジング後に洗顔等を使用者が行う必要があるからである。使用者がかかる洗顔等をした後、電源スイッチ５ａを押下し休止を解いて、制御部９によりマッサージのモードに移行する。マッサージのモードでは、制御部９が１００［ｍsec］の間に１：１Dutyの＋／−の出力をパルス出力部１２にさせると共にバイブレータ１３を振動させて肌をマッサージする。このマッサージのモードの動作と共に、制御部９がモード表示LED５ａを橙に点灯させる。マッサージのモードの終了後、一端休止する。使用者は患部にプロビタミンCを浸透させたコットンパフ８をパフプレート部１に被せ、さらに前記パフリング７をリングの孔部長軸内側方向に押し曲げ、パフリング７を変形させた状態でコットンパフ８を被せたパフプレート部１に嵌め合わせる（図４（ａ）参照）。使用者が電源スイッチ４ａを押下することで、制御部９によりイオン導入のモードに移行する。イオン導入時には、制御部９が早い周期のパルス出力をパルス出力部１２にさせると共にバイブレータ１３を振動させて皮膚の中にプロビタミンＣを浸透させる。このイオン導入のモードの動作と共に、制御部９がモード表示ランプ５ａを青色に点灯させる。イオン導入のモードの終了後、電極部１に嵌め合わせたパフリング７を外しコットンパフ８も外し、制御部９によりリフティングのモードに移行する。このリフティング時には、浸透させたプロビタミンＣを安定させるため、制御部９がパルス出力部１２に約１［min］間１：１Dutyの＋／−の出力をさせる。このときはバイブレータ１３の振動はない。このリフティングのモードの動作と共に、制御部９がモード表示ランプ５aを白色に点灯させる。以上で、通常のイオン導入の動作は終了し、待機モードに移行する。
【００２９】
このように本実施形態に係るイオン導入器によれば、この手持部からなる本体と前記パフプレート部１とが離隔し、連結部２ａを介して本体とパフプレート部１とが結合し、前記パフプレート部１及び連結部２ａにおける電極部接触面の中心軸垂直面の断面積が中心軸に沿って連続的に減少する部分を受け部として形成しているので、パフプレート部１の側面及び背面により受け部を構成し、受け部に対応した保持部材によりパフを保持することで容易にパフを取り付けることができると共に、使用時にも簡単にパフが落ちることはない。そして、本実施形態においては前記受け部に対応した保持部材として前記受け部に対応した嵌合可能な楕円状リングであってリングの孔部７ａの長軸内側方向に対する外力に対して復元性を有するパフリング７を使用しているので、使用者が長軸内側方向に外力を加えて変形させ嵌め易い状態とした後のパフリング７をパフプレート部１に嵌め合わせることができ、また、逆にパフプレート部１からパフリング７を外すときも同じように使用者が長軸内側方向に外力を加えて変形させ外し易い状態とした後のパフリング７をパフプレート部１から外すことができる。
【００３０】
なお、本実施形態に係るイオン導入器の動作において、使用者はパフに化粧水を含ませてパフリング７によりパフプレート部１に嵌め合わせてイオンクレンジング又はマッサージを行うことができ、また、使用者はパフに美容液又はローションを含ませてパフリング７によりパフプレート部１に嵌め合わせてリフティングを行うことができる。
【００３１】
（本発明の第２の実施形態）
本発明の第２の実施形態に係るイオン導入器について図５又は図６に基づき説明する。図５又は図６は本実施形態に係るイオン導入器の使用態様図である。
本実施形態に係るイオン導入器は、前記第１の実施形態に係るイオン導入器と同様に構成され、前記パフプレート部１の中心が軸支されている点を異にする構成である。
【００３２】
図５に示すように、パフプレート部１は中心が軸支されていることから、パフプレート部１は回動可能となっている。このように回動可能となっていれば、凸となっている患部にパフプレート部１が接触したとき、パフプレート部１が回動することにより使用者によるイオン導入器の移動を妨げることがない。また、パフプレート部１に角が形成している場合で患部にかかる角部分を接触させるためには、パフプレート部１が固定のものであれば使用者がイオン導入器自体を色々持ち替えてかかる位置する必要があるために使い勝手が悪いが、本イオン導入器によれば、パフプレート部１が回転しイオン導入器自体を持ちかえる必要がない。
【００３３】
この回動は制限することなく留まりなく回転可能に構成することもできるが、このように継続して回転できる場合に使用者が使用すると患部にパフプレート部を当接させた状態で移動させた場合にパフプレート部１が必要以上に回転してしまい不都合となる。したがって、パブプレート部１が回転できる角度を既定することが望ましい。例えば、４５［度］、９０［度］（図５（ａ１）参照）が考えられる。
【００３４】
また、回転できる角度を既定することなく、又は、回転できる角度を既定して、バネ等により常に初期位置に戻るように構成することもできる。これにより、患部に当接状態でない場合には、パフプレート部１は初期位置にあり視認することなく使用者はパフプレート部１の位置を把握することができる。
【００３５】
また、図５上にはパフプレート部の中心軸を黒点で示しているが、この黒点は軸支部分の軸が表出したものではない。軸が表出した場合には、パフプレート部１が使用時に患部と軸が接触して皮膚にキズが生じる可能性があるからである。実際の軸はパフプレート部１の背面と接合して表面には表出しない構造となっていることが好ましい。
【００３６】
このように本実施形態に係るイオン導入器によれば、前記パフプレート部１の中心が軸支されているので、パフプレート部１が回動自在となって凸状の患部に使用しているときであっても当接するパフプレート部１が接触して本イオン導入器の患部周辺での移動を妨げることなく移動させることができ使い勝手がよく、また、パフプレート部１の特定部位を患部の特定部分に接触させたい場合にパフプレート部１が回動するためにいちいちイオン導入器を持ち変えたりすることなく所望の位置に持っていくことができ使い勝手がよい。
【００３７】
なお、本実施形態に係るイオン導入器においては、パフプレート部１の中心軸を軸支しているが、パフプレート部１の他の部分を軸支してもよく、例えば、図５（ｂ１）ないし（ｂ３）に示すように、パフプレート部１の上側を軸支してもよく、この場合には回転状態によっては前面体を延出した状態となっており、患部によっては当接し易く利便性が高い。
【００３８】
また、本実施形態に係るイオン導入器においては、パフプレート部１の形状がルーローの三角形であったが、図６（ａ１）ないし（ａ３）のように略三角形でもよいし、図６（ｂ１）ないし（ｂ３）のように円形であってもよい。
【００３９】
（本発明の第３の実施形態）
本発明の第３の実施形態に係るイオン導入器について図７に基づき説明する。図７は本実施形態に係るイオン導入器のバイブレータ配設状態図である。
本実施形態に係るイオン導入器においては、前記第１の実施形態に係るイオン導入器と同様に構成され、前記パフプレート部１の下位置にバイブレータ１３を複数備えることを異にする構成である。
【００４０】
既に、前記第１の実施形態に係るイオン導入器においてバイブレータ１３を設けているが、かかるバイブレータ１３は患部に対して垂直方向のみに振動を与えるものであって、本イオン導入器においてはバイブレータが２個設けられている。このように複数のバイブレータ１３の設けることで、少なくともバイブレータ１３の数だけ多方向に振動を生成することができると共に、さらに、バイブレータ１３の振動を組み合わせることでさらに多方向の振動を実現することができる。
【００４１】
前記バイブレータ１３は、パフプレート部１の背面には配設され、モーターに偏芯したおもりをつけ回転させてその遠心力によって振動を発生させるバイブレータ（図示しなし）である。このバイブレータ１３は振動を発生するものとして用いている。通常、やせにくく燃焼されない脂肪の固まりであるセルライトを解消するためには、ボディに関してはローラーで摘み上げる方法であるローラー摘み上げ法を適用するのが一般的であるが、刺激に敏感な顔の肌には直接用いることができない。そこで、垂直に小刻みにパッティングさせ、適度な刺激を顔の肌に与えるためにバイブレータ１３を用いた。したがって、バイブレータの代替として、他に垂直に小刻みにパッティング可能なものを使用することができる。バイブレータ１３には電流の供給を受けるべく、バイブレータライン１３ａが本体１０の内部に内設されている。なお、電磁石で発音体を振動させる音響器具であるブザーを用いることができ、垂直に振動を発生させた方がパッティングとしてよいため、ブザーの方が好ましい場合がある。また、ブザーは警告音として用いることもでき、本実施形態においては使用者が所定時間を超えて使用した場合に鳴らすこともできる。同様に、バイブレータ１３も故意に音を発生されることもでき、警告する場合には音を生じさせるように駆動させ、通常の振動を患部に与える場合には音を生じないように駆動させ、切り替えて使用することもできる。
【００４２】
また、バイブレータ１３を配設する場合には配設方向が重要となってくる。同一方向にバイブレータ１３を２つ配設した場合には、振動数が同一で遅延がなければ振動が大きくなって振動範囲も広くなる（図７（ａ）参照）。図７（ｂ）に示すように一方のバイブレータ１３を他方のバイブレータ１３に対して９０［度］異ならせて配設した場合には、振動自体も大きくなるが（前記同一方向に配設した場合と比べては小さい）一定方向に合成された振動が生じる。さらに、振動数を異ならせることによっても振動範囲及び振動の強さを調整することができる。
【００４３】
このように本実施形態に係るイオン導入器によれば、前記パフプレート部１の下位置にバイブレータ１３を複数備えるので、一定方向への振動のみしか生成することがきなかった従来と比べ、他方向に振動を生成することができ、さらに振動数により方向をも調整することができる。
【００４４】
（本発明の第４の実施形態）
本発明の第４の実施形態に係るイオン導入器について図８に基づき説明する。図８は本実施形態に係る複数のイオン導入器の平面図である。
【００４５】
構成
本実施形態に係るイオン導入器は、前記第１の実施形態と同様に構成され、利用者が手で握り締める手持部とパフプレート１３が配設されている部分との間に振動吸収部材２ｂを設ける点を異にする構成である。
【００４６】
図８（ａ）では振動吸収部材２ｂもイオン導入器の外形と連続して形成されている。この振動吸収部材は前面体２の前側２ｃと後側２ｄと接着されている。ここで、振動吸収部材２ｂは振動の負荷がかかる場所であるため、この振動吸収部材２ｂが前面体２の前側２ｃ及び後側２ｄの接着を強固とすべく前面体２の前側２ｃと後側２ｄとを細鉄心等の補強材で補強することが望まれる。他に、図８（ｂ）又は図８（ｃ）のように構成することもできる。特に、図８（ｃ）のように構成した場合には、バイブレータ１３により生じた振動を助長することができる。
【００４７】
効果
このように本実施形態に係るイオン導入器によれば、利用者が手で握り締める手持部とパフプレート部１が配設されている部分との間に振動吸収部材２ｂを設けるので、バイブレータ１３で生じた振動は振動吸収部材２ｂにより手持部には到達することなく、パフプレート部１及びその周辺で伝播するのみであり、使用者の使用上の弊害ともならず、また、バイブレータ１３で生じた振動を効率的に使用することができる。
【００４８】
（本発明の第５の実施形態）
本発明の第５の実施形態に係るイオン導入器について説明する。
本実施形態に係るイオン導入器は、前記第１の実施形態に係るイオン導入器と同様に構成され、前記パフプレート部１がチタンからなることを異にする構成である。
【００４９】
従来、クロム等のメッキがパフプレート部１に施されていたが、電気分解によりパフプレート部１の表面に金属イオンが溶出されていた。そして、溶出された金属イオンは患部となる皮膚に対して悪影響となり問題となっていた。そして、本実施形態に係るイオン導入器においては安定性の高いチタンでパフプレート部１の内部の電極材料を表面加工することとした。ここで、チタンでなくチタン化合物であってもよい。ただし、純チタンが望ましい。また、チタンでなくとも金で代用することもできる。
【００５０】
このように本実施形態に係るイオン導入器は、前記パフプレート部１がチタンからなるので、本イオン導入器を使用してパルスを発生させた場合であってもパフプレート部１での電気分解によりチタンの金属イオンが溶出することなく、安全に使用することができる。
【００５１】
（本発明の第６の実施形態）
本発明の第６の実施形態に係るイオン導入器の充電スタンドについて図９に基づき説明する。図９は本実施形態に係るイオン導入器を充電状態で設置した充電スタンドの断面図を示す。
【００５２】
本実施形態に係る充電スタンドは、本充電スタンドに定置させた状態のイオン導入器のパフプレート部１に対して紫外線を照射する紫外線ランプ１５ａを配設した構成である。
【００５３】
図９に充電スタンド１５の具体例として断面図を示しているがこれは一例に過ぎない。ここでの要点は、紫外線ランプの照射空間を確保することである。すなわち、本イオン導入器が充電スタンド１５に定置された場合に、本イオン導入器の先端側と充電スタンド１５の紫外線ランプ１５ａ周辺部分で閉空間が形成されることである。完全な閉空間が望ましいが、紫外線ランプ１５ａから照射される紫外線をできるだけ逃さない構成であればよい。紫外線長としては、例えば、２５４［ｎｍ］を用いる。また、この閉空間内において各種反射材を形成してより効率的に紫外線を用いることもできる。
【００５４】
このように本実施形態に係るイオン導入器の充電スタンド１５によれば、定置させた状態のイオン導入器のパフプレート部１に対して紫外線を照射する紫外線ランプ１５ａを配設しているので、充電しながら使用者が別途除菌を意識的に行うことなく次回使用時までには除菌が完了しており利便性が高い。また、次回使用時までに除菌が完了していない場合には、警告音を鳴らすこともできる。
【００５５】
（本発明の第７の実施形態）
本発明の第７の実施形態に係るイオン導入器のしわ伸ばし器について図１０に基づき説明する。図１０は本実施形態に係るイオン導入器及びしわ伸ばし器の平面図を示す。
【００５６】
前記図１０（ａ）において本実施形態に係るイオン導入器は、前記第１の実施形態に係るイオン導入器と同様に構成され、しわ伸ばし器１６の接続コードの接続プラグ（図示しない）に対応するジャック（図示しない）を設けたことを異にする構成である。
【００５７】
しわ伸ばし器１６は、導電接続部１６ａ、本体１６ｂ、接続コード１６ｃからなる。このしわ伸ばし器１６はイオン導入器のパルス出力部１２からの出力をそのまま受けて接続コード１６ｃを介して導電接続部１６ａに接続される綿棒の先端で患部に電気刺激を行う。
【００５８】
他の構成としては図１０（ｂ）に示すしわ伸ばし器１６もあり、このしわ伸ばし器は接続コード１６ｃを介してパルスを受けるのではなく連結部２ａに嵌合する足部を設けている構成である。
【００５９】
次に、本実施形態に係るしわ伸ばし器を使用したイオン導入器の動作について説明する。前記第１の実施形態に係るイオン導入器においてのモードは、イオンクレンジング、マッサージ、イオン導入及びリフティングであったが、リフティングの後に目元ケアというモードを設ける。この目元ケアは、高電圧のパルスを出力させることで目元のしわを伸ばすことができる（リフティング同様バイブレータ１３の振動はさせない）。したがって、目元ケアの場合には、図１０（ａ）のしわ伸ばし器１６の構成であれば使用者はしわ伸ばし器１６の導電接続部１６ａに水を含ませた綿棒の先端部分を取り付け、接続コード１６ｃのプラグをイオン導入器のジャックに接続し、モード切替スイッチ４ｂにより目元ケアに指定し、電気刺激を受ける。なお、モード表示ランプ５ｂは目元ケアの場合には緑色に発光する。図１０（ｂ）のしわ伸ばし器１６の構成であれば、同様に使用者はしわ伸ばし器１６の導電接続部１６ａに水を含ませた綿棒の先端部分を取り付け、変形可能な樹脂からなる足部１６ｄを拡開させて連結部２ａに嵌合させ、モード切替スイッチ４ｂにより目元ケアに指定し、電気刺激を受ける。ここで、図１０（ｂ）のしわ伸ばし器１６には接続コード１６ｃが設けられていないが、これはこのしわ伸ばし器１６の本体１６ｂの連結部２ａとの当接部分に電極が設けられ、互いの電極が接触することによりパルスの出力を可能としている。
【００６０】
このように本実施形態に係るしわ伸ばし器によれば、自らはパルス発生部を持つことなく前記イオン導入器からパルスを供給してもらい、供給されたパルスを利用してしわ伸ばしのための電気刺激を患部に行っており、しわ伸ばし器自体の構成が容易となり、また、パルス出力部１２だけでなく制御部９を実装している制御基板を製造する必要がなく製造コストも安くすることができる。
【図面の簡単な説明】
【００６１】
【図１】本発明の第１の実施形態に係るイオン導入器の平面図及び右側面図である。
【図２】本発明の第１の実施形態に係るイオン導入器の全体構成ブロック図である。
【図３】本発明の第１の実施形態に係るパフリングの平面図、断面図、底面図及び右側面図である。
【図４】本発明の第１の実施形態に係るパフリングの使用状態図である。
【図５】本発明の第２の実施形態に係るイオン導入器の使用態様図である。
【図６】本発明の第２の実施形態に係るイオン導入器の使用態様図である。
【図７】本発明の第３の実施形態に係るイオン導入器のバイブレータ配設状態図である。
【図８】本発明の第４の実施形態に係る複数のイオン導入器の平面図である。
【図９】本発明の第６の実施形態に係るイオン導入器を充電状態で設置した充電スタンドの断面図である。
【図１０】本発明の第７の実施形態に係るイオン導入器及びしわ伸ばし器の平面図である。
【図１１】従来のイオン導入器の全体斜視図である。
【図１２】従来のイオン導入器の各モードの波形図である。
【符号の説明】
【００６２】
１  パフプレート部
１ａ  電極ライン
２  前面体
２ａ  連結部
２ｂ  振動吸収部材
２ｃ  前側
２ｄ  後側
３  背面体
４  操作スイッチ
４ａ  電源スイッチボタン
４ｂ  モード切替スイッチ
４ｃ  強弱切替スイッチ
５  発光ダイオード
５ａ  モード表示ランプ
５ｂ  強弱表示ランプ
６  対極電極部
７  パフリング
７ａ  孔部
７ｂ  つば部
７ｃ  一方の開口の径
７ｄ  他方の開口の径
８  コットンパフ
９  制御部
１２  パルス出力部
１３  バイブレータ
１３ａ  バイブレータライン
１４  ＡＣアダプター
１５  充電スタンド
１５ａ  紫外線ランプ
１６  しわ伸ばし器
１６ａ  導電接続部
１６ｂ  本体
１６ｃ  接続コード
１６ｄ  足部
１０１  本体
１０２  顔面皮膚接触部
１０４  遠赤外線出力部
１０６  接地部
【図１】
2005296193.tif 000003
【図２】
2005296193.tif 000004
【図３】
2005296193.tif 000005
【図４】
2005296193.tif 000006
【図５】
2005296193.tif 000007
【図６】
2005296193.tif 000008
【図７】
2005296193.tif 000009
【図８】
2005296193.tif 000010
【図９】
2005296193.tif 000011
【図１０】
2005296193.tif 000012
【図１１】
2005296193.tif 000013
【図１２】
2005296193.tif 000014